(57)【要約】      （修正有）【課題】浮力調節機能及び発光機能を有する釣り用ウキに係り、上胴体を押圧調節して浮力を段階別に手軽に調節し、夜間の釣りの際に視認性を高めるための発光機能を効果的に制御することのできる釣り用ウキの提供。【解決手段】下胴体１０の内部に設けられた弾性バネ１１により下部が弾支されるように上胴体３０を設け、上胴体３０の回転操作で内部の浮力を段階別に調節できるように中胴体２０に異なる高さに多数形成される浮力調節溝に選択的に締結される浮力調節突起３１を上胴体３０に形成して内部浮力の段階別の調節を通じて魚釣り場の与件に伴う適切な対応が行えるとともに、特定の位置に上胴体３０を回転調節した後に押圧すれば、上胴体の３０内部に設けられた発光部のＬＥＤランプ４２Ａの点灯及び消灯が手軽に制御できる．【選択図】図２
2019041765.tif 000002
【特許請求の範囲】
【請求項１】
上部開放型であり、中央部に道糸が貫通する道糸貫通突部（１００）が所定の高さで円筒状に突出して内側の下端部の中央に形成され、内側の中空部の空間に弾性バネ（１１）及び弾性バネ（１１）を下側から支持するリング状のバネ受け部（１２）が内部の下側に設けられる下胴体（１０）と、
上下部開放型であり、下部が前記下胴体（１０）の上部の内側に螺合され、上部側の内周縁の周りに一定の間隔で離間し、異なる高さを有する多数の浮力変換溝（２１）が形成される中胴体（２０）と、
下部開放型であり、中央部に道糸が通されるように内側の中央部に下部に延びた突出パイプ（３２）が形成され、前記中胴体（２０）の上部の内側に設けられながら、下端が前記弾性バネ（１１）により弾支され、上部押圧回転により前記各浮力変換溝（２１）に選択的に係着されて内部の浮力を段階別に変換できるように下部の外側面に浮力変換突起（３１）が形成される上胴体（３０）と、
前記上胴体（３０）を定められた位置に回転させた後、上部押圧の際に下胴体（１０）の内部の一方の側の下部に形成されたスイッチ受け片（１０４）に下端が押圧されて発光又は消灯されるように前記上胴体（３０）の内側に設けられる発光部（４０）と、
上端は前記上胴体（３０）の突出パイプ（３２）の下端に設けられ、下端は道糸貫通突部（１００）の中央部に内挿される接続パイプ（５０）と、
を備えることを特徴とする浮力調節機能及び発光機能を有する釣り用ウキ。
【請求項２】
前記バネ受け部（１２）は、下胴体（１０）の内周縁の下側に一定の間隔で突設した多数の支持突起（１０２）に着座されて設けられることを特徴とする請求項１に記載の浮力調節機能及び発光機能を有する釣り用ウキ。
【請求項３】
前記下胴体（１０）には、前記道糸貫通突部（１００）と接続パイプ（５０）との間を密閉できるように前記道糸貫通突部（１００）の内側の中央部に下部が開放されたＯリング収容溝（１４０）が形成されて、Ｏリング収容溝（１４０）の内側の上端にＯリング（１３）が収容され、前記Ｏリング収容溝（１４０）には、前記Ｏリング（１３）の遊動を防ぐために中央部が貫通され、上部円筒状のＯリング固定部（１４）がＯリング収容溝（１４０）の下側において嵌合することを特徴とする請求項１に記載の浮力調節機能及び発光機能を有する釣り用ウキ。
【請求項４】
前記発光部（４０）は、前記突出パイプ（３２）を貫通して設けられる発光部ハウジング（４１）と、前記発光部ハウジング（４１）の上端に設けられる２つの第１及び第２のＬＥＤランプ（４２Ａ、４２Ｂ）と、前記第１及び第２のＬＥＤランプ（４２Ａ、４２Ｂ）と電気的に接続され、前記発光部ハウジング（４１）内の一方の側に垂直に延びて収容されるが、下端部が発光部ハウジング（４１）の下端よりも突出するように形成されて前記下胴体（１０）の内部のスイッチ受け片（１０４）と同じ垂直線の上に位置した後、上胴体（３０）の押圧の際にスイッチ受け台（１２０）の下端部の押圧によりオン／オフされながら前記第１及び第２のＬＥＤランプ（４２Ａ、４２Ｂ）を発光又は消灯させるオン／オフスイッチ片（４３）と、前記発光部ハウジング（４１）内の他方の側に収容され、前記オン／オフスイッチ片（４３）及び第１及び第２のＬＥＤランプ（４２Ａ、４２Ｂ）と電気的に接続されて電源を供給する第１及び第２のバッテリ（４４Ａ、４４Ｂ）と、を備えることを特徴とする請求項１に記載の浮力調節機能及び発光機能を有する釣り用ウキ。
【請求項５】
前記オン／オフスイッチ片（４３）を前記スイッチ受け片（１０４）と同じ垂直線の上に位置させ易いように上胴体（３０）の下部の外側面にはオン／オフスイッチ片（４３）と同じ水平線上であって、オン／オフスイッチ片（４３）と隣り合う位置に発光表示部（３００）が印刷されて形成され、前記中胴体（２０）には、前記スイッチ受け片（１０４）と同じ垂直線上であって、前記発光表示部（３００）と同じ水平線上に形成されるが、外側面に透明窓（２２０）が設けられた貫通孔（２２）が形成されてオン／オフスイッチ片（４３）の作動位置を外部から覗けることを特徴とする請求項４に記載の浮力調節機能及び発光機能を有する釣り用ウキ。
【請求項６】
前記上胴体（３０）の下端及びバネ受け台（１２）の上端には、前記弾性バネ（１１）の抜脱を防ぐためにバネ抜脱防止爪（３０３、１２２）がそれぞれ突設されることを特徴とする請求項１に記載の浮力調節機能及び発光機能を有する釣り用ウキ。
【請求項７】
前記上胴体（３０）の下部であって、前記浮力変換突起（３１）の下部側には、前記中胴体（２０）の内周縁に形成される中胴体内側段差（２００）と対応する鍔部（３０２）が拡張されて形成され、鍔部（３０２）の中央部の周りには上胴体（３０）と中胴体（２０）との間に水が流れ込むことを防ぐためのＯリング（３６）が設けられるようにＯリング収容溝（３０６）が形成されることを特徴とする請求項１に記載の浮力調節機能及び発光機能を有する釣り用ウキ。
【請求項８】
前記上胴体（３０）の浮力の調節が手軽に行えるように、上胴体（３０）の上部の外側面に前記浮力変換突起（３１）の位置を表示する位置表示部（３１０）が浮力変換突起（３１）と同じ垂直線の上に印刷されて形成され、前記中胴体２０の外側面の周りには各浮力変換溝（２１）と同じ位置に多数の浮力表示文字（２１０）が印刷されて形成されることを特徴とする請求項１に記載の浮力調節機能及び発光機能を有する釣り用ウキ。
【発明の詳細な説明】
【技術分野】
【０００１】
本発明は、浮力調節機能及び発光機能を有する釣り用ウキに係り、上胴体を押圧調節して浮力を段階別に手軽に調節し、夜間の釣りの際に視認性を高めるための発光機能を効果的に制御することのできる浮力調節機能及び発光機能を有する釣り用ウキに関する
【背景技術】
【０００２】
一般に、釣り用ウキは、識別可能な様々な大きさ及び色相を有するものであり、浮力を有する胴体の下部におもりを形成して水面に自立できるように構成され、且つ、その中心部には上下に貫通する通孔を形成して通孔の上部から釣り糸を貫通させて釣り用ウキを貫通した釣り糸の端部に針を縛り付けるようにしている。
【０００３】
また、釣り用ウキは、ウキ止め及び水中ウキを介して予め与えられた水深層を攻略する半遊動用と、ウキ止めなしに様々な水深層を攻略する全遊動用と、に大別でき、且つ、胴体内にはケミカルライトなど発光体を設置するための空間を設けて夜間にも釣りが楽しめるようにしている。
【０００４】
このようなあらゆる種類の中通しウキは、基本的に、魚が針に付けられた釣り餌を吸入すると、それによる釣り糸の引っ張りにより潜水するようにして中通しウキの潜水で魚信を感知してアワセをするように構成される。
【０００５】
しかしながら、魚は、魚種や大きさに応じてアタリの強さが異なり、且つ、たとえ同じ大きさの魚種であるとしても、釣りをする当日の潮の流れや水色並びに季節など周りの与件に応じてアタリの強さを異ならせることを余儀なくされるため、アタリが弱過ぎる場合、たとえ釣り手が集中をして中通しウキを注視するとしても、アタリをとり難く、且つ、波が打つ場合には更にアタリをとり難く、ひいては、強いアタリが出るとしても、中通しウキが潮流に沿って進んで釣り手との距離が遠ざかる場合には、アタリが直ちにとれず、これは空アワセにつながるが故に、その分だけ、魚獲量の減少を来たすことはもちろんのこと、アタリを感じる機会が減って釣りに対する興味を半減させてしまうなどの問題がある。
【０００６】
そこで、従来には、韓国登録特許第１０−１１２５５６０号公報及び韓国登録特許第１０−１００３７４２号公報が公開されているが、上述したような従来の中通しウキ又は釣り用ウキは、釣りをするときに潮汐現象による水深、潮速、風速の変化に対応するために変化する現場の状況に合わせて半円シモリ、中通しウキ、緩衝ゴム、おもり（水中ウキ）などを道糸からはずし、現場の状況に適した中通しウキ及びおもりを選んで小道具とともに再び道糸に付け、結び終えなければならないが、そのためには、作業に手間がかかり、使い勝手が悪い他、しかも、多数の中通しウキ及びおもり（水中ウキ）を購買しなければならないという負担感も大きいという問題がある。
【０００７】
一方で、釣り用ウキを用いて夜釣りをする場合には、釣り用ウキの動きをより手軽に把握できるように、通常、化学的な反応により発光するケミカルライト（Ｃｈｅｍｉｃａｌ  ｌｉｇｈｔ）を釣り用ウキに付けて使用するが、前記ケミカルライトは、光の輝度や光量が足りないため、やや離れた距離では視認性が低下することはもとより、使用寿命が約８〜１０時間と非常に短いというデメリットがある。
【先行技術文献】
【特許文献】
【０００８】
【特許文献１】韓国登録特許第１０−１１２５５６０号公報
【特許文献２】韓国登録特許第１０−１００３７４２号公報
【発明の概要】
【発明が解決しようとする課題】
【０００９】
本発明は、上述したような問題を解消するために、下胴体の内部に設けられた弾性バネにより下部が弾支されるように上胴体を設け、上胴体の回転操作で内部の浮力を段階別に調節できるように中胴体に異なる高さに多数形成される浮力調節溝に選択的に締結される浮力調節突起を上胴体に形成して内部浮力の段階別の調節を通じて魚釣り場の与件に伴う適切な対応が行えるとともに、特定の位置に上胴体を回転調節した後に押圧すれば、上胴体の内部に設けられた発光部の点灯及び消灯が手軽に制御できる浮力調節機能及び発光機能を有する釣り用ウキを提供するところに目的がある。
【課題を解決するための手段】
【００１０】
本発明に係る浮力調節機能及び発光機能を有する釣り用ウキは、上部開放型であり、中央部に道糸が貫通する道糸貫通突部１００が所定の高さで円筒状に突出して内側の下端部の中央に形成され、内側の中空部の空間に弾性バネ１１及び弾性バネ１１を下側から支持するリング状のバネ受け部１２が内部の下側に設けられる下胴体１０と、上下部開放型であり、下部が前記下胴体１０の上部の内側に螺合され、上部側の内周縁の周りに一定の間隔で離間し、異なる高さを有する多数の浮力変換溝２１が形成される中胴体２０と、下部開放型であり、中央部に道糸が通されるように内側の中央部に下部に延びた突出パイプ３２が形成され、前記中胴体２０の上部の内側に設けられながら、下端が前記弾性バネ１１により弾支され、上部押圧回転により前記各浮力変換溝２１に選択的に係着されて内部の浮力を段階別に変換できるように下部の外側面に浮力変換突起３１が形成される上胴体３０と、前記上胴体３０を定められた位置に回転させた後、上部押圧の際に下胴体１０の内部の一方の側の下部に形成されたスイッチ受け片１０４に下端が押圧されて発光又は消灯されるように前記上胴体３０の内側に設けられる発光部４０と、上端は前記上胴体３０の突出パイプ３２の下端に設けられ、下端は道糸貫通突部１００の中央部に内挿される接続パイプ５０と、を備えることを特徴とする。
【発明の効果】
【００１１】
本発明は、上胴体の簡単な回転操作で所望の内部の浮力を段階的に手軽に調節することができるので、釣り用ウキだけで様々な水深及び環境を有する魚釣り場に対応可能であることから、数多くのウキとおもりを備える必要がなく、仕掛けの取り替えに当たっての不便さを解消することができるとともに、上胴体を特定の位置に回転調節した後に押圧するという簡単な操作により発光部を点灯又は消灯させることができて夜釣りの最中に点灯と消灯のためにバッテリを取り付けたり取り外したりする不要な作業を行う必要がないことから、釣り手に利便性を提供し、必要時にのみ発光部を手軽に点灯させてバッテリの寿命を延ばすことができるという効果がある。
【００１２】
また、１つの釣り用ウキで浮力調節機能及び発光機能を両方とも提供することができて、昼夜兼用に使えることから、釣り用ウキの購入費用を節減することができるという効果がある。
【図面の簡単な説明】
【００１３】
【図１】本発明に係る浮力調節機能及び発光機能を有する釣り用ウキの斜視図。
【図２】本発明に係る浮力調節機能及び発光機能を有する釣り用ウキの断面図。
【図３】本発明に係る浮力調節機能及び発光機能を有する釣り用ウキの分解図。
【図４】本発明に係る浮力調節機能及び発光機能を有する釣り用ウキの下胴体の断面図。
【図５】本発明に係る浮力調節機能及び発光機能を有する釣り用ウキの下胴体の平面図。
【図６】本発明に係る浮力調節機能及び発光機能を有する釣り用ウキの中胴体の断面図。
【図７】本発明に係る浮力調節機能及び発光機能を有する釣り用ウキの上胴体の断面図。
【発明を実施するための形態】
【００１４】
本発明は、様々な変更を加えることができ、種々の実施形態を有することができるので、特定の実施形態を図面に例示し、詳細な説明の欄において詳細に説明する。しかしながら、これは、本発明を特定の実施形態に対して限定しようとする意図はなく、本発明の思想及び技術範囲に含まれるあらゆる変更、均等物ないし代替物を網羅するものと理解されるべきである。
【００１５】
各図面について説明するに当たって、類似の参照符号を類似の構成要素に附した。本発明を説明するに当たって、関連する公知の技術についての具体的な説明が本発明の要旨を曖昧にする虞があると認められる場合、その詳細な説明を省略する。
【００１６】
以下、本発明の好適な実施形態について、添付図面に基づいて詳細に説明する。
【００１７】
図１は、本発明に係る浮力調節機能及び発光機能を有する釣り用ウキの斜視図であり、図２は、本発明に係る浮力調節機能及び発光機能を有する釣り用ウキの断面図であり、図３は、本発明に係る浮力調節機能及び発光機能を有する釣り用ウキの分解図であり、図４は、本発明に係る浮力調節機能及び発光機能を有する釣り用ウキの下胴体の断面図であり、図５は、本発明に係る浮力調節機能及び発光機能を有する釣り用ウキの下胴体の平面図であり、図６は、本発明に係る浮力調節機能及び発光機能を有する釣り用ウキの中胴体の断面図であり、図７は、本発明に係る浮力調節機能及び発光機能を有する釣り用ウキの上胴体の断面図である。
【００１８】
本発明に係る浮力調節機能及び発光機能を有する釣り用ウキは、図１から図３に示すように、上部開放型であり、中央部に道糸が貫通する道糸貫通突部１００が所定の高さで円筒状に突出して内側の下端部の中央に形成され、内側の中空部の空間に弾性バネ１１及び弾性バネ１１を下側から支持するリング状のバネ受け部１２が内部の下側に設けられる下胴体１０と、上下部開放型であり、下部が前記下胴体１０の上部の内側に螺合され、上部側の内周縁の周りに一定の間隔で離間し、異なる高さを有する多数の浮力変換溝２１が形成される中胴体２０と、下部開放型であり、中央部に道糸が通されるように内側の中央部に下部に延びた突出パイプ３２が形成され、前記中胴体２０の上部の内側に設けられながら、下端が前記弾性バネ１１により弾支され、上部押圧回転により前記各浮力変換溝２１に選択的に係着されて内部の浮力を段階別に変換できるように下部の外側面に浮力変換突起３１が形成される上胴体３０と、前記上胴体３０を定められた位置に回転させた後、上部押圧の際に下胴体１０の内部の一方の側の下部に形成されたスイッチ受け片１０４に下端が押圧されて発光又は消灯されるように前記上胴体３０の内側に設けられる発光部４０と、上端は前記上胴体３０の突出パイプ３２の下端に設けられ、下端は道糸貫通突部１００の中央部に内挿される接続パイプ５０と、を備える。
【００１９】
前記下胴体１０は、上部が開放され、内側に中空部の空間を有する半球状のものであり、中央部は、貫通されて道糸が通されるように道糸貫通突部１００が円筒状に所定の高さで突出して下胴体１０の内側の下端部の中央に形成される。
【００２０】
前記下胴体１０の内側には、上胴体３０を弾支できるように弾性バネ１１が収容され、弾性バネ１１を支持できるようにリング状を有するバネ受け台１２０が下胴体１０の内周縁の下部側に一定の間隔で離間して突出した多数の支持突起１０２の上部に着座されて上側には弾性バネ１１を支持するように設けられる。
【００２１】
前記バネ受け台１２０の上部面には、上部に着座された弾性バネ１１の抜脱を防ぐために、上端に所定の高さで突出したバネ抜脱防止爪１２２が形成されて、弾性バネ１１の下端がバネ受け台１２０の上端におけるバネ抜脱防止爪１２２の内側に設けられる。
【００２２】
また、図４及び図５に示すように、前記下胴体１０の内部には、下端部の一方の側であって、前記道糸貫通突部１００の外側の所定の区間に発光部４０を発光又は消灯させるためのスイッチ受け片１０４が固設される。
【００２３】
前記中胴体２０は、上下部が開放された円筒状のものであり、前記下胴体１０の上部の内側に下部が螺合されて設けられる。
【００２４】
このとき、前記中胴体２０が下胴体１０の上部の内側に螺合されるとともに、下胴体１０の内側に設けられた弾性バネは、中胴体２０の下部の内側に収容されることになる。
【００２５】
前記下胴体１０と中胴体２０との間の結合部位には、密閉力を高めて内部に水が流れ込むことを遮断するために下胴体１０の上端の内側に形成される下胴体Ｏリング溝１０５にＯリング１５が設けられる。
【００２６】
図６に示すように、前記中胴体２０には、上部側に内側に向かって縮径された中胴体内側段差２００が突設され、中胴体内側段差２００には、上部側の内周縁の周りに沿って一定の間隔（同じ角度）で離間し、異なる高さを有する多数の浮力変換溝２１が形成される。
【００２７】
このとき、多数の浮力変換溝２１は、異なる高さに形成されるが、向かい合う方向に位置する浮力変換溝２１同士は、同じ高さを有するように形成されることが好ましい。
【００２８】
前記上胴体３０は、下部開放型であり、内側に中空部の空間を有する半球状のものであり、下部が前記中空胴体２０の上部の内側に嵌設されながら、下端が前記中胴体２０の内側に収容された弾性バネ１１により弾支される。
【００２９】
図７に示すように、前記上胴体３０には、下部に前記中胴体内側段差２００と対応する鍔部３０２が形成されて中胴体２０に結合された上胴体３０の上部への離脱を防ぎ、前記鍔部３０２の下端には、弾性バネ１１の押圧及び押圧の解除に際して弾性バネの位置が外れることを防ぐために、バネ抜脱防止爪３０３が下部に突設されて、弾性バネ１１の上端が上胴体３０の下端におけるバネ抜脱防止爪３０３の内側に設けられるとともに、弾性バネ１１の上端の位置がバネ抜脱防止爪３０３により固定できるようにする。
【００３０】
このとき、前記鍔部３０２の外周縁の中央部には、密閉力を高めて釣り用ウキの内部に水が流れ込むことを防ぐために、Ｏリング収容溝３０６が形成されて、Ｏリング収容溝３０６にＯリング３６が設けられるとともに、内部の空間が効果的に密閉できるようにする。
【００３１】
前記上胴体３０には、上部押圧回転により釣り用ウキの内部の浮力を段階別に調節できるように、下部側の外周縁であって、前記鍔部３０２の上側端に各浮力変換溝２１に選択的に係着可能な浮力変換突起３１が突設されるが、浮力変換突起３１の上端の高さは、異なる高さを有する多数の浮力変換溝２１のうち、上端の高さが最も大きく形成される浮力変換溝２１と対応する高さで形成されるようにして、多数の浮力変換溝２１の高さの全てに対応して浮力変換突起３１が係着できるようにする。
【００３２】
したがって、下端が弾性バネ１１により弾支される上胴体３０を上部から押圧して下降させると、ある浮力変換溝２１に係着されていた浮力変換突起３１が浮力変換溝２１から下降しながら浮力変換溝から係脱されるため、上胴体３０が回転が調節自在な状態となり、このとき、上胴体３０を所定の角度だけ回転させた後、所望の位置において上部押圧を解除すれば、上胴体３０が上昇しながら、浮力変換突起３１が対応する位置に形成された浮力変換溝２１に係着されるため、浮力変換突起３１が係着される浮力変換溝２１の高さに応じて、中胴体２０に結合される上胴体３０の結合高さが異なりながら、釣り用ウキの内部の浮力を段階別に変換することが可能になる。
【００３３】
このとき、前記浮力変換突起３１は、上胴体の外側面の一方の側に単一、又は上胴体の外側面の一方の側と向かい合う方向の他方の側に２つが形成されてもよい。
【００３４】
一方で、上胴体３０は、使用者が外部から覗きながら浮力の調節が手軽に行えるように、外部に露出される上胴体の上部の外側面に、前記浮力変換突起３１と同じ垂直線の上に「▼」状の位置表示部３１０が印刷されて形成され、中胴体２０の外側面の周りには、各浮力変換溝２１と対応するように、同じ角度の位置に多数の浮力表示文字２１０が印刷されて形成される。
【００３５】
前記多数の浮力表示文字２１０は、例えば、Ｇ２、Ｇ３、Ｇ４、０°、３Ｂ、５Ｂなどの文字で各浮力変換溝２１と同じ角度の位置に表示されて、使用者が位置表示部３１０の位置を見ながら所望の浮力表示文字２１０の位置に位置表示部３１０を位置させることができるので、釣り用ウキの浮力を使用者が所望の浮力に手軽に変換することが可能になる。
【００３６】
前記上胴体３０の内側には、中央部に下部に延びて形成され、内部に道糸が貫通するように内部中空状の突出パイプ３２が形成される。
【００３７】
前記発光部４０は、上胴体３０の上部からの押圧により発光又は消灯できるように上胴体３０の内側において前記突出パイプ３２を貫通して設けられる発光部ハウジング４１と、前記発光部ハウジング４１の上端に設けられる第１及び第２のＬＥＤランプ４２Ａ、４２Ｂと、前記発光部ハウジング４１の内部の一方の側に貫通して設けられ、前記第１及び第２のランプ４２Ａ、４２Ｂと電気的に接続されて第１及び第２のＬＥＤランプ４２Ａ、４２Ｂを発光又は消灯させるオン／オフスイッチ片４３と、前記発光部ハウジング４１に取り替え自在に収容され、前記オン／オフスイッチ片４３及び第１及び第２のＬＥＤランプ４２Ａ、４２Ｂと電気的に接続されて電源を供給する第１及び第２のバッテリ４２Ａ、４２Ｂと、を備える。
【００３８】
前記オン／オフスイッチ片４３は、下部が前記発光部ハウジング４１よりも下部に突出するように設けられて、発光部４０を点灯又は消灯させようとするときに、前記上胴体２０を回転させて、オン／オフスイッチ片４３を下胴体１０の内部に設けられたスイッチ受け片１０４の上側に位置させた後、上胴体２０を押圧すると、上胴体２０が下降しながらオン／オフスイッチ片４３の下部がスイッチ受け片１０４の上端により押圧されて発光部の電源イオン状態となり、前記第１及び第２のＬＥＤランプ４２Ａ、４２Ｂを点灯させ、第１及び第２のＬＥＤランプ４２Ａ、４２Ｂが点灯された状態で、もう一回上胴体２０を押圧すると、オン／オフスイッチ片４３の下部がスイッチ受け片１０４の上端に押圧されながら電源がオフ状態となり、第１及び第２のＬＥＤランプ４２Ａ、４２Ｂを消灯させることになる。
【００３９】
一方で、前記発光部４０の点灯又は消灯を制御可能なオン／オフスイッチ片４３を使用者が前記スイッチ受け片１０４と同じ垂直線の上に位置させ易いように、上胴体３０の下部の外側面にはオン／オフスイッチ片４３と同じ水平線上であって、オン／オフスイッチ片４３と隣り合う上胴体３０の外側面の位置に「●」又は「★」などからなる発光表示部３００が印刷されて形成され、前記中胴体２０には、前記スイッチ受け片１０４と同じ垂直線上であって、前記発光表示部３００と同じ水平線の上に形成される貫通孔２２が形成される。
【００４０】
すなわち、前記発光表示部３００が貫通孔２２内に位置している状態は、前記オン／オフスイッチ片４３が前記スイッチ受け片１０４と同じ垂直線の上に位置している状態であることを示すため、使用者は、発光部４０の点灯又は消灯を制御可能な上胴体１０の回転位置を発光表示部３００及び貫通孔２２により外部から覗いて視認し易くなる。
【００４１】
前記貫通孔２２は、内部に水が流れ込むことを遮断するために、外側が透明窓２２０により形成される。
【００４２】
一方で、浮力の調節のために、上胴体３０の押圧の際にはオン／オフスイッチ片４３の下部がスイッチ受け片１０４に押圧されて電源がオン／オフとなることを防ぐために、前記オン／オフスイッチ片４３と、上端とスイッチ受け片１０４の下端との間の距離は、前記浮力変換突起３１の形成高さよりも高く形成することが好ましい。
【００４３】
前記接続パイプ５０は、内部に道糸が貫通するように内部中空状のものであり、上端は、前記上胴体３０に形成された突出パイプ３２の下端に結合されて固定され、下端は下胴体１０に形成された道糸貫通突部１００の中央部に内挿されるように上胴体３０及び下胴体１０の内部の中央部に垂直に設けられて、道糸の設置を容易にし、且つ、釣り用ウキの内部に水が流れ込むことを遮断するように構成される。
【００４４】
一方で、図４に示すように、前記補助パイプ４０と道糸貫通突部１００との間をＯリングを介して密閉して釣り用ウキの内部に水が流れ込むことを遮断するために、下胴体１０の外側の下端部の中央である前記道糸貫通突部１００の内側の中央部に下部が開放されたＯリング収容溝１４０が形成されて、Ｏリング収容溝１４０の内側の上端に設けられるＯリング１３により補助パイプ４０と道糸貫通突部１００との間を効果的に密閉する。
【００４５】
前記Ｏリング収容溝１４０には、上胴体３０に沿って上昇又は下降する接続パイプ５０によりＯリング１３が遊動することを防ぐために、中央部が貫通され、前記Ｏリング収容溝１４０と対応する直径を有する上部円筒状のＯリング固定部１４０がＯリング収容溝１４０に設けられて、Ｏリング１３がＯリング収容溝１４０内において遊動なしにしっかり固設されてもよい。
【００４６】
上述したように、内側にスイッチ受け片１０４と、バネ受け部１２及び弾性バネ１１が設けられる下胴体１０の上側に中胴体２０が螺合され、内側に発光部４０及び接続パイプ５０が設けられた上胴体２０が前記中胴体２０の上側に弾性バネ１１により弾支されるように組み立てられる釣り用ウキの浮力調節機能及び発光機能の使い方は、次の通りである。
【００４７】
使用者が夜釣りをする場合を例にとって説明すれば、まず、発光部４０を点灯させるために、使用者が上胴体３０を上部から押圧すると、上胴体３０が下降しながら、浮力変換突起３１が浮力変換溝２１から係脱して上胴体３０が回転可能な状態となるため、発光表示部３００が貫通孔２２内に位置するように上胴体３０を回転させた後、押圧を解除すれば、上胴体３０が上昇しながら、浮力変換突起３１は対応する位置に形成された浮力変換溝２１に係着されて位置が固定された状態となり、発光部４０のオン／オフスイッチ片４３は、上胴体３０の回転の調節により下胴体１０の内側に固定されたスイッチ受け片１０４と同じ垂直線の上に位置している状態となる。
【００４８】
前記発光表示部３００を貫通孔２２内に位置させた後には、使用者が上胴体３０を押圧して発光部４０が一緒に下降するようにして、オン／オフスイッチ片４３の下部が前記スイッチ受け片１０４に押圧されながら電源がオン状態となって、オン／オフスイッチ片４３と電気的に接続されている第１及び第２のＬＥＤランプ４２Ａ、４２Ｂが点灯されるようにする。
【００４９】
このとき、前記発光部４０が点灯された状態で、上胴体３０をもう一回押圧すると、オン／オフスイッチ片４３の下部が前記スイッチ受け片１０４に押圧されながら電源がオフ状態となって、第１及び第２のＬＥＤランプ４２Ａ、４２Ｂが消灯されることになる。
【００５０】
前記第１及び第２のＬＥＤランプが点灯又は消灯された状態で、使用者が釣り用ウキの浮力を調節するためには、上胴体３０を押圧し、上胴体３０に表示された位置表示部３１０が中胴体２０に表示された浮力表示文字２１０の所望の位置と同じ垂直線の上に位置するように上胴体３０を回転させた後、押圧を解除して浮力変換突起３１が浮力変換溝２１に係着しながら浮力変換溝２１の形成高さにより上胴体３０の高さが変更されるので、釣り用ウキの内部の浮力が調節されるようにする。
【符号の説明】
【００５１】
１０  下胴体
１１  弾性バネ
１２  バネ受け部
１００  道糸貫通突部
２０  中胴体
２１  浮力変換溝
３０  上胴体
３１  浮力変換突起
３１  突出パイプ
４０  発光部
４１  発光部ハウジング
４２Ａ  第１のＬＥＤランプ
４２Ｂ  第２のＬＥＤランプ
４３  オン／オフスイッチ片
４４Ａ  第１のバッテリ
４４Ｂ  第２のバッテリ
５０  接続パイプ
【図１】
2019041765.tif 000003
【図２】
2019041765.tif 000004
【図３】
2019041765.tif 000005
【図４】
2019041765.tif 000006
【図５】
2019041765.tif 000007
【図６】
2019041765.tif 000008
【図７】
2019041765.tif 000009